(57)【特許請求の範囲】
【請求項１】
底部に開口が形成されたコインを貯留するコインホッパと、
前記コインホッパ底部の開口で回転円盤によりコインをコイン排出口から外方に排出するコイン排出台と、
前記コインホッパと前記コイン排出台との接合境界面で外方から両者を結合する係合具とを具備するコイン払出し装置において、
前記係合具には、両者を連結した状態で、前記コイン排出台のコイン排出口と略一致する位置に、コインを排出する開口部が形成されていること、
を特徴とするコイン払出し装置。
【請求項２】
請求項１に記載のコイン払出し装置において、
前記コインホッパ又は前記コイン排出台のいずれか一方には、他方側に突出する係合突起が形成され、かつ他方には前記係合突起が挿入される係合溝が形成されており、前記係合突起が前記係合溝に挿入された状態で前記コインホッパと前記コイン排出台とを両者の接触面で相対的に移動させることにより、両者の接触面と交差する方向への移動が規制されること、
を特徴とするコイン払出し装置。
【請求項３】
請求項１又は請求項２記載のコイン払出し装置において、
前記コインホッパの取り付けフランジには位置決め用の小孔が設けられ、かつ前記係合具には位置決め突起が設けられており、
前記小孔と前記位置決め突起とが嵌合するように取り付けられること、
を特徴とするコイン払出し装置。
【発明の詳細な説明】
【０００１】
【発明の属する技術分野】
この発明は、スロットマシン等に内蔵されているコイン払出し装置に関し、特に、コインを貯留するコインホッパと、該ホッパ内のコインを排出するコイン排出台とを簡単に分離できるようにしたコイン払出し装置に関する。
【０００２】
【従来の技術】
スロットマシンのコイン払出し装置として、コインホッパに貯留されている遊技用のコインを、円周上に複数のコイン保持穴が形成された回転円盤の回転によって、所定のコイン排出口から１枚ずつ排出させる構成のものがある。この種のコイン払出し装置では、コインホッパと回転円盤を駆動するモータ等が装備されたコイン排出台とを分離可能にして保守点検ができるようにしている。しかしながら、図１２に示すように、両者の結合は、コインホッパ１の底部側からコイン排出台４０に向けて螺合する複数本のビス４１で固定するとか、両者の結合面における嵌合部同士をコイン排出台４０の周囲から複数本のビス４１で固定するなど、複数箇所に螺合部を設けビスによる螺着によって結合させるのが一般的であった。
【０００３】
【発明が解決しようとする課題】
上記構成のコイン払出し装置は、その構造上、ロータのコイン保持穴からコイン排出口へコインを導く通路でコインが詰まるトラブルが生じることがある。その場合、コイン排出台からコインホッパを外してトラブル処理をしなければならず、従来装置は上記のように両者が複数箇所の結合面で複数のビスで固定されていたため、特にコインホッパ基部側でコイン排出台と固定しているため、コインホッパを外す作業に時間がかかり、迅速に処理できなかった。遊技中のトラブルの場合であると、処理時間がかかるほどに、遊技者を待たせて不快な思いをさせることになるため、改善する必要性があった。
【０００４】
そこで、コイン詰まりに迅速に対応できるように、コイン排出台からコインホッパを簡単に取り外せるようにすることが本発明の課題である。
【０００５】
【課題を解決するための手段】
請求項１に係る本発明のコイン払出し装置は、上記の目的を達成する為に、底部に開口が形成されたコインを貯留するコインホッパと、前記コインホッパ底部の開口で回転円盤によりコインをコイン排出口から外方に排出するコイン排出台と、前記コインホッパと前記コイン排出台との接合境界面で外方から両者を結合する係合具とを具備するコイン払出し装置において、前記係合具には、両者を連結した状態で、前記コイン排出台のコイン排出口と略一致する位置に、コインを排出する開口部が形成されていることを特徴とする。
【０００６】
したがって、コインホッパとコイン排出台の接合境界面で両者の外方から両者に係合する係合具によって連結しているので、両者を分離する際には、コインホッパ内部に向けての取り外し作業やコイン排出台の周囲からコインホッパ基部に向けての取り外し作業が不要になり、この係合具の取り外し作業だけで両者を分離することができる。また、この係合具に、コイン排出台のコイン排出口と略一致する開口部を形成することにより、この開口部からコインの排出が行え、両者の結合を確実にしつつコイン排出台の構造を簡単にすることができる。
【０００７】
請求項２に係る本発明のコイン払出し装置は、請求項１に記載のコイン払出し装置において、前記コインホッパ又は前記コイン排出台のいずれか一方には、他方側に突出する係合突起が形成され、かつ他方には前記係合突起が挿入される係合溝が形成されており、前記係合突起が前記係合溝に挿入された状態で前記コインホッパと前記コイン排出台とを両者の接触面で相対的に移動させることにより、両者の接触面と交差する方向への移動が規制されることを特徴とする。
請求項３に係る本発明のコイン払出し装置は、請求項１又は請求項２記載のコイン払出し装置において、前記コインホッパの取り付けフランジには位置決め用の小孔が設けられ、かつ前記係合具には位置決め突起が設けられており、前記小孔と前記位置決め突起とが嵌合するように取り付けられることを特徴とする。
【０００８】
コインホッパをコイン排出台に取り付ける場合は、係合突起が係合溝に挿入されるようにコインホッパをコイン排出台に対して保持し、その状態でコインホッパをコイン排出台に対して両者の接触面と平行な方向に相対的に移動させる。これにより、係合突起の一部が係合溝の一部に係合して、コインホッパとコイン排出台とが両者の接触面と交差する方向への移動が規制されるので、コインホッパがコイン排出台から外れなくなる。
【０００９】
逆に、コインホッパをコイン排出台から外す場合は、コインホッパをコイン排出台に対して両者の接触面と平行な方向（先ほどとは逆方向）に相対的に移動させてから、コインホッパとコイン排出台とを引き離して係合突起を係合溝から抜けば、簡単に外すことができる。
【００１０】
【発明の実施の形態】
以下、図面に基づき本発明によるコイン払出し装置を具体的に説明する。図１はコイン払出し装置の組立図、図２はその分解図である。このコイン払出し装置Ａは、コインを貯留するコインホッパ１と、該ホッパ内のコインをコイン排出口２ａから排出するコイン排出台２とに大きく分割される。また、コインホッパ１とコイン排出台２との係合具となる排出ガイド３は、後述するように側面視Ｌ形状をしており、コインホッパ１の取り付けフランジ１３の基部とコイン排出台２との両者に、それぞれの屈曲内面を当接させ密着させた状態で、固定ねじ４によってコインホッパ１及びコイン排出台２を結合するように取り付け固定される。
【００１１】
図３乃至図６にコインホッパを示す。コインホッパ１は、下部が漏斗状になっていて、その下端に後記ロータ２１に臨む円形穴１０が開口している。円形穴１０の周囲には、底面視円形の内側縁部１１と底面視不等辺八角形の外側縁部１２とを有する取り付けフランジ１３が形成されている。上記内側縁部１１及び外側縁部１２の一部は切り欠かれてコイン通路１４になっている。
【００１２】
内側縁部１１の底面には、下方に突出する係合突起１５が４個所に形成されている。この係合突起１５は、図９に示すように、下部１５ａが周方向に張り出した形状をしている。
【００１３】
また、取り付けフランジ１３における平面視でコイン通路１４の両側の位置に、排出ガイド３の位置決め用一対の小孔１６，１６が穿設されている。
【００１４】
図７及び図８にコイン排出台２を示す。コイン排出台２は、複数（図示のものは６つ）のコイン保持穴２０が形成されたロータ２１を備え、このロータ２１を図示しないモータで一定方向に回転させることにより、コイン通路１４の近傍に移動してきたコイン保持穴２０に保持されているコインをロータ２１の下側にある誘導板２２でコイン通路１４の側へ誘導し、該コイン通路１４を通ってコインをコイン排出口２aから排出する公知の構成である。２３はコイン通路１４でのコインの移動を円滑にさせるためのローラである。
【００１５】
ロータ２１の外周部は、コインホッパ１の取り付けフランジ１３を下から受けるフランジ受け面２４になっている。このフランジ受け面２４の内側端縁には上方に起立する立縁部２５が形成されており、これが前記内側縁部１１の内側に摺動自在に嵌合するようになっている。したがって、コインホッパ１とコイン排出台２とは周方向に相対移動可能である。
【００１６】
フランジ受け面２４には、前記係合突起１５，…に対応する位置に係合溝２６，…が形成されている。この係合溝２６は、図９（ｂ）に示すように、係合突起１５が挿入可能な長さを有している。さらに、図９（ｃ）に示すように、係合溝２６に係合突起１５を挿入させた状態で両者を円周方向に相対的に移動させた場合に係合突起１５の下部１５ａが係合する上端張出部２６ａが形成されている。
【００１７】
また、コイン排出台２の正面上部には、コイン通路１４を挟んで両側の位置に、排出ガイド３の取付用の一対のねじ孔２７，２７が穿設されている。
【００１８】
図１０及び図１１は排出ガイド３の構成を示す平面図と側面図であり、排出ガイド３は、正面板部３０と上面板部３１とからなる側面視Ｌ字型をしており、正面板部３０の中央部に若干前下がりに傾斜したコイン排出口３ａが形成されている。コイン排出口３ａは、コイン排出台２に形成されたコイン排出口２ａと同一形状に開口している。正面板部３０には前記ねじ孔２７，２７に対応する一対のねじ挿通孔３２，３２が、上面板部３１には前記小孔１６，１６に対応する一対の位置決め突起３３，３３が設けられている。
【００１９】
このコイン払出し装置Ａは次のように組み立てる。すなわち、コイン排出台２の上方からコインホッパ１を下降させ、図９（ｂ）に示すように、係合突起１５を係合溝２６に挿入させる。そして、コインホッパ１を水平面上で回動させ、図９（ｃ）に示すように、係合突起１５の下部１５ａを係合溝２６の上端張出部２６ａに係合させる。図９（ｃ）の状態では、コインホッパ１とコイン排出台２との上下方向の相対移動が規制され、両者が外れなくなっている。しかるのち、排出ガイド３を位置決め突起３３，３３がコインホッパ１の小孔１６，１６に嵌合するように取り付け、固定ねじ４，４で固定する。固定ねじ４は指でつまんで回すことができる。
【００２０】
排出ガイド３を取り付けると、上記したように、コイン排出口３ａは、コイン排出台２に形成されたコイン排出口２ａと同一形状に開口しているので、この排出口３ａからコインの排出が行え、両者の結合を確実にしつつコイン排出台２の構造を簡単にすることができる。
【００２１】
また、コインホッパ１を外す場合は、上記と逆に、固定ねじ４，４を緩めて排出ガイド３を外した後、コインホッパ１を水平面上で回動させてから上に持ち上げて取り外せばよい。
【００２２】
【発明の効果】
以上に説明したように、本発明のコイン払出し装置は、コインホッパとコイン排出台の接合境界面で両者の外方から両者に係合する係合具によって連結しているので、両者を分離する際には、コインホッパ内部に向けての取り外し作業やコイン排出台の周囲からコインホッパ基部に向けての取り外し作業が不要になり、この係合具の取り外し作業だけで両者を分離することができる。
【００２３】
また、コインホッパとコイン排出台とにそれぞれ各別に設けた係合突起と係合溝との係合により両者を一体化する構成とすれば、工具類を使用せずに簡単な操作だけでコインホッパとコイン排出台とを組立及び分離することができ、コイン詰まり等のトラブルに対する迅速な対応が可能になる。
【図面の簡単な説明】
【図１】コイン払出し装置の組立斜視図である。
【図２】コイン払出し装置の分解斜視図である。
【図３】コインホッパの下部の正面図である。
【図４】コインホッパの下部の正面断面図である。
【図５】コインホッパのＳ−Ｓ断面図である。
【図６】コインホッパの底面図である。
【図７】コイン排出台の正面図である。
【図８】コイン排出台の平面図である。
【図９】係合突起と係合溝との位置関係を示す図である。
【図１０】排出ガイドの平面図である。
【図１１】排出ガイドの側面図である。
【図１２】従来例の取り付け状態を示す図である。
【符号の説明】
Ａ  コイン払出し装置
１  コインホッパ
２  コイン排出台
３  排出ガイド
３ａ  コイン排出口
４  固定ねじ
１５  係合突起
２６  係合溝
【図１】
0003646881.tif 000002
【図２】
0003646881.tif 000003
【図３】
0003646881.tif 000004
【図４】
0003646881.tif 000005
【図５】
0003646881.tif 000006
【図６】
0003646881.tif 000007
【図７】
0003646881.tif 000008
【図８】
0003646881.tif 000009
【図９】
0003646881.tif 000010
【図１０】
0003646881.tif 000011
【図１１】
0003646881.tif 000012
【図１２】
0003646881.tif 000013